(57)【要約】  【課題】  圧力損失の低減及び濾過流体の滞留の抑制が可能であり、且つ、設計の自由度の高いフィルター用リテーナを提供する。  【解決手段】  本発明のフィルター用リテーナ１０は、２枚の表面板１１及び中間板１２を含む少なくとも３層の積層構造を有するフィルター用リテーナ１０であって、２枚の表面板１１及び中間板１２は、それぞれ、略円形の板であり、２枚の表面板１１には、それぞれ、貫通穴１３が周方向に複数配列されるとともに、貫通穴１３の列が同心円状に複数の環状列として配置されており、中間板１２には、中心から外側に向かって径方向に延びる複数の線状の溝１４が形成されており、中間板１２の線状の溝１４に沿って、２枚の表面板１１の貫通穴１３が位置するように、２枚の表面板１１の間に中間板１２が配置されていることを特徴とする。【選択図】  図１
2014140793.tif 000002
【特許請求の範囲】
【請求項１】
２枚の表面板及び中間板を含む少なくとも３層の積層構造を有するフィルター用リテーナであって、
前記２枚の表面板及び前記中間板は、それぞれ、略円形の板であり、
前記２枚の表面板には、それぞれ、貫通穴が周方向に複数配列されるとともに、前記貫通穴の列が同心円状に複数の環状列として配置されており、
前記中間板には、中心から外側に向かって径方向に延びる複数の線状の溝が形成されており、
前記中間板の線状の溝に沿って、前記２枚の表面板の貫通穴が位置するように、前記２枚の表面板の間に前記中間板が配置されていることを特徴とするフィルター用リテーナ。
【請求項２】
前記中間板の線状の溝が、直線状である、請求項１記載のフィルター用リテーナ。
【請求項３】
前記中間板の径方向において、外周側の前記線状の溝による空隙率が、中心側の前記線状の溝による空隙率よりも低くなっている、請求項１又は２記載のフィルター用リテーナ。
【請求項４】
前記表面板の貫通穴の平面形状が略四角形であり、前記略四角形の中心側の一辺が、前記表面板の径方向に垂直な方向に対し傾斜している、請求項１から３のいずれか一項に記載のフィルター用リテーナ。
【請求項５】
フィルター用リテーナの両面上に濾材を有するフィルターであって、
前記フィルター用リテーナが、請求項１から４のいずれか一項に記載のフィルター用リテーナであることを特徴とするフィルター。
【請求項６】
２枚の表面板及び中間板を含む少なくとも３層の積層構造を有するフィルター用リテーナの製造方法であって、
略円形の板の周方向に貫通穴を複数形成するとともに、前記貫通穴の列を同心円状に複数の環状列として形成する表面板製造工程と、
略円形の板に中心から外側に向かって径方向に延びる複数の線状の溝を形成する中間板製造工程と、
前記中間板製造工程で製造された前記中間板の線状の溝に沿って、前記表面板製造工程で製造された前記２枚の表面板の貫通穴が位置するように、前記２枚の表面板の間に前記中間板を配置する積層体製造工程とを有することを特徴とするフィルター用リテーナの製造方法。
【請求項７】
前記表面板製造工程及び前記中間板製造工程において、前記表面板の貫通穴及び前記中間板の線状の溝を、化学エッチングにより形成する、請求項６記載のフィルター用リテーナの製造方法。
【発明の詳細な説明】
【技術分野】
【０００１】
本発明は、フィルター用リテーナ、フィルター及びフィルター用リテーナの製造方法に関する。
【背景技術】
【０００２】
溶融ポリマー濾過用及び粘性流体濾過用のフィルターとして、円板状のフィルターエレメントが知られている。このようなフィルターエレメントにおいては、フィルターエレメントの厚み方向中央部に濾材を支持するための金網等からなるリテーナが配置されることが多く、リテーナの両面に多孔板（例えば、パンチングメタル）を配置し、その上に濾材を敷設してフィルターエレメントを構成することが多い。このようなフィルターエレメントが、例えば、間にスペーサを介在させた状態で複数枚積層され、フィルターエレメント間に流入されてきた被濾過流体が、濾材を通過して濾過された後、多孔体を介してリテーナ部に至り、リテーナ部内を径方向に（例えば、径方向中心部に向かう方向に）流れて積層フィルターエレメントの中央部等に集められ、そこから濾過流体が所定の行先に送られる（例えば、特許文献１〜３参照）。
【先行技術文献】
【特許文献】
【０００３】
【特許文献１】特許第３４２２５６３号公報
【特許文献２】特許第３８８４１３３号公報
【特許文献３】特許第４２９５３９４号公報
【発明の概要】
【発明が解決しようとする課題】
【０００４】
濾材を通過した後の濾過流体の抵抗は、極力小さいことが望ましい。しかしながら、上記のような構成のフィルターエレメントにおいては、濾過流体が、多孔体、さらにはリテーナと通過していくため、圧力損失の大幅な低減は、通常困難である。また、リテーナが金網で形成される場合、その表面が凹凸形状となるため、シート状の濾材を所定の形態（例えば、平面形態）に保持するためにリテーナ及び濾材の間に多孔体が介装されるが、濾材に対する所望の保持強度を維持するために、多孔体の開口率を上げることには限界がある。そして、リテーナ部に流入されてきた濾過流体は、リテーナの両面部及び内部を通って径方向に流れることになるが、金網等からなるリテーナの場合には、流路形状が複雑となり、リテーナ内の圧力損失の低減にも限界があるとともに、リテーナ内での濾過流体の滞留が生じやすい構造となる。さらに、金網からなるリテーナの場合には、リテーナ自体には濾材の保持強度はそれほど期待できないため、主として多孔体に濾材の保持強度の大半を担わせる構造となるので、この面からも、多孔体の開口率を上げることには限界がある。
【０００５】
また、上記のような構成のフィルターエレメントにおいては、多孔体の孔の真下にリテーナである金網等の金属線が位置することで、濾過流体の流路が閉塞されることがあり、この面からも、リテーナ内での濾過流体の滞留が生じやすい構造である。
【０００６】
そこで、本発明の目的は、圧力損失の低減及び濾過流体の滞留の抑制が可能であり、且つ、設計の自由度の高いフィルター用リテーナ、それを用いたフィルター、及び前記フィルター用リテーナの製造方法を提供することである。
【課題を解決するための手段】
【０００７】
前記目的を達成するために、本発明のフィルター用リテーナは、
２枚の表面板及び中間板を含む少なくとも３層の積層構造を有するフィルター用リテーナであって、
前記２枚の表面板及び前記中間板は、それぞれ、略円形の板であり、
前記２枚の表面板には、それぞれ、貫通穴が周方向に複数配列されるとともに、前記貫通穴の列が同心円状に複数の環状列として配置されており、
前記中間板には、中心から外側に向かって径方向に延びる複数の線状の溝が形成されており、
前記中間板の線状の溝に沿って、前記２枚の表面板の貫通穴が位置するように、前記２枚の表面板の間に前記中間板が配置されていることを特徴とする。
【０００８】
本発明のフィルターは、
フィルター用リテーナの両面上に濾材を有するフィルターであって、
前記フィルター用リテーナが、前記本発明のフィルター用リテーナであることを特徴とする。
【０００９】
本発明のフィルター用リテーナの製造方法は、
２枚の表面板及び中間板を含む少なくとも３層の積層構造を有するフィルター用リテーナの製造方法であって、
略円形の板の周方向に貫通穴を複数形成するとともに、前記貫通穴の列を同心円状に複数の環状列として形成する表面板製造工程と、
略円形の板に中心から外側に向かって径方向に延びる複数の溝を形成する中間板製造工程と、
前記中間板製造工程で製造された前記中間板の線状の溝に沿って、前記表面板製造工程で製造された前記２枚の表面板の貫通穴が位置するように、前記２枚の表面板の間に前記中間板を配置する積層体製造工程とを有することを特徴とする。
【発明の効果】
【００１０】
本発明のフィルター用リテーナによれば、表面板の貫通穴から内部に流入した濾過流体が、中間板の溝により線状に流れるため、圧力損失が低減され、且つ、濾過流体の滞留が抑制される。また、本発明のフィルター用リテーナによれば、中間板の線状の溝に沿って、表面板の貫通穴が位置するため、前述の金網及び多孔体で構成された従来のフィルターエレメントのように貫通穴の真下に金属線が位置することはなく、濾過流体の滞留が抑制される。さらに、本発明のフィルター用リテーナによれば、少なくとも３層の積層構造を有するため、表面板の開口率、中間板の空隙率の設計自由度が高い。
【図面の簡単な説明】
【００１１】
【図１】図１は、本発明の実施形態１のフィルター用リテーナを示す分解斜視図である。
【図２】図２は、本発明の実施形態１のフィルター用リテーナを示す平面図である。
【図３】図３（Ａ）は、本発明の実施形態１のフィルター用リテーナにおける表面板を示す平面図である。図３（Ｂ）は、本発明の実施形態１のフィルター用リテーナにおける中間板を示す平面図である。
【図４】図４は、図２に示すフィルター用リテーナのＩ−Ｉ方向に見た断面図である。
【図５】図５は、図２に示すフィルター用リテーナのＩＩ−ＩＩ方向に見た断面図である。
【図６】図６は、本発明の実施形態２のフィルター用リテーナを示す分解斜視図である。
【図７】図７は、本発明の実施形態２のフィルター用リテーナを示す断面図である。
【図８】図８（Ａ）は、本発明の実施形態３のフィルター用リテーナにおける表面板を示す平面図である。図８（Ｂ）は、本発明の実施形態３のフィルター用リテーナにおける中間板を示す平面図である。
【図９】図９（Ａ）は、本発明の実施形態４のフィルター用リテーナにおける表面板を示す平面図である。図９（Ｂ）は、本発明の実施形態４のフィルター用リテーナにおける中間板を示す平面図である。
【図１０】図１０は、本発明の実施形態５のフィルター用リテーナにおける表面板を示す平面図である。
【図１１】図１１は、本発明の実施形態６のフィルターを示す断面図である。
【図１２】図１２（Ａ）は、従来のフィルター用リテーナの構成部材の一例を示す平面図である。図１２（Ｂ）は、図１２（Ａ）に示す構成部材の裏面図である。
【発明を実施するための形態】
【００１２】
本発明のフィルター用リテーナ、フィルター及びフィルター用リテーナの製造方法において、前記中間板の線状の溝は、直線状であることが好ましい。
【００１３】
本発明のフィルター用リテーナ、フィルター及びフィルター用リテーナの製造方法では、前記中間板の径方向において、外周側の前記線状の溝による空隙率が、中心側の前記線状の溝による空隙率よりも低くなっていることが好ましい。
【００１４】
本発明のフィルター用リテーナ、フィルター及びフィルター用リテーナの製造方法において、前記表面板の貫通穴の平面形状が略四角形であり、前記略四角形の中心側の一辺が、前記表面板の径方向に垂直な方向に対し傾斜していることが好ましい。
【００１５】
本発明のフィルター用リテーナの製造方法では、前記表面板製造工程及び前記中間板製造工程において、前記表面板の貫通穴及び前記中間板の線状の溝を、化学エッチングで形成することが好ましい。
【００１６】
以下、本発明のフィルター用リテーナ、フィルター及びフィルター用リテーナの製造方法について、例を挙げて詳細に説明する。ただし、本発明は、以下の実施形態に限定されない。なお、以下の図において、同一部分には、同一符号を付している。また、図面においては、説明の便宜上、各部の構造は適宜簡略化して示す場合があり、各部の寸法比等は、実際とは異なる場合がある。
【００１７】
（実施形態１）
図１は、本実施形態のフィルター用リテーナを示す分解斜視図である。図２は、本実施形態のフィルター用リテーナを示す平面図である。図３（Ａ）は、本実施形態のフィルター用リテーナにおける表面板を示す平面図である。図３（Ｂ）は、本実施形態のフィルター用リテーナにおける中間板を示す平面図である。図４は、図２に示すフィルター用リテーナのＩ−Ｉ方向に見た断面図である。図５は、図２に示すフィルター用リテーナのＩＩ−ＩＩ方向に見た断面図である。図１〜５に示すように、本実施形態のフィルター用リテーナ１０は、２枚の表面板１１及び中間板１２を構成部材として含む。２枚の表面板１１及び中間板１２は、それぞれ、略円形の板状である。２枚の表面板１１には、それぞれ、貫通穴１３が周方向に複数（例えば、４０個〜６０個）配列されるとともに、貫通穴１３の列が同心円状に複数の環状列（例えば、１０列〜６０列）として配置されている。中間板１２には、中心から外側に向かって径方向に延びる複数（例えば、４０本〜６０本）の線状の溝が形成されている。このフィルター用リテーナ１０では、中間板１２の線状の溝１４に沿って、２枚の表面板１１の貫通穴１３が位置するように、２枚の表面板１１の間に中間板１２が配置されている。ここで、「中間板１２の線状の溝１４に沿って、２枚の表面板１１の貫通穴１３が位置する」とは、図４（Ａ）〜（Ｃ）に示すように、中間板１２の線状の溝１４と、上側の表面板１１の貫通穴１３底面及び下側の表面板１１の貫通穴１３上面とが接していることで、破線の矢印で示すように、貫通穴１３から流入した濾過流体が、中間板１２の線状の溝１４に流れ込むようになっていればよいことを意味し、その詳細については後述する。また、径方向断面において、貫通穴１３の位置は、図５（Ａ）に示すように、上下で一致していてもよいし、図５（Ｂ）に示すように、下側の表面板１１の貫通穴１３が中心側（同図において右側）にずれていてもよい。いずれの場合においても、図５（Ａ）及び（Ｂ）に破線の矢印で示すように、表面板１１の貫通穴１３からリテーナ１０内部に流入した濾過流体は、中間板１２の溝１４により線状に流れる。また、図示しないが、図５（Ｂ）に示すのとは逆に、下側の表面板１１の貫通穴１３が外側にずれていてもよく、この場合においても、表面板１１の貫通穴１３からリテーナ１０内部に流入した濾過流体は、中間板１２の溝１４により線状に流れる。
【００１８】
表面板１１の形成材料は、特に限定されず、防食性、機械強度及び耐熱性等の観点から、例えば、ステンレス（ＳＵＳ）板を使用できる。
【００１９】
２枚の表面板１１は同じ大きさであり、例えば、直径が８０ｍｍ〜６００ｍｍの範囲、厚みが０．１ｍｍ〜４ｍｍの範囲であり、好ましくは、直径が１００ｍｍ〜５００ｍｍの範囲、厚みが０．２ｍｍ〜３ｍｍの範囲であり、より好ましくは、直径が１００ｍｍ〜４００ｍｍの範囲、厚みが０．４ｍｍ〜２ｍｍの範囲である。本実施形態のフィルター用リテーナ１０では、２枚の表面板１１の厚みを変えることで、強度重視（２枚の表面板を厚く）、圧力損失低減重視（２枚の表面板を薄く）等、用途に応じた設計が可能である。
【００２０】
図３（Ａ）に示すように、複数の貫通穴１３は、表面板１１の径方向及び周方向に等間隔に並んでいることが好ましい。隣接する貫通穴１３の間は、表面板１１の径方向及び周方向ともに０．２ｍｍ〜２０ｍｍ離れていることが好ましく、０．３ｍｍ〜５ｍｍ離れていることがより好ましく、０．５ｍｍ〜２ｍｍ離れていることがさらに好ましい。ただし、本実施形態のフィルター用リテーナ１０は、図３（Ａ）に示すものに限定されず、複数の貫通穴１３が、表面板１１にランダムに配置されたものであってもよい。複数の貫通穴１３の平面形状は、それぞれ、径方向に平行な短い２つの辺と、当該短い２つの辺と垂直な２本の長い辺とで構成された略矩形である。複数の貫通穴１３の短い２つの辺の長さは、例えば、０．２ｍｍ〜４ｍｍの範囲であり、好ましくは、０．３ｍｍ〜３ｍｍの範囲であり、より好ましくは、０．５ｍｍ〜２ｍｍの範囲である。複数の貫通穴１３の長い２つの辺は、表面板１１の径方向において、中心から外側に向かうに従い、長くなっている。これにより、表面板１１の表面全体において、開口率が一定となっている。複数の貫通穴１３の長い２つの辺の長さは、図４（Ａ）に示すように、後述の中間板１２の線状の溝１４の幅より一回り（例えば、３ｍｍ）短くてもよいし、図４（Ｂ）に示すように、溝１４の幅と同じであってもよく、図４（Ｃ）に示すように、溝１４の幅より一回り（例えば、３ｍｍ）長くてもよい。複数の貫通穴１３の平面形状は、開口面積が同じとなれば略矩形に限定されるものではなく、例えば、円形、楕円形、多角形等の他の形状としてもよい。
【００２１】
中間板１２の形成材料としては、表面板１１の形成材料と同じものを例示できる。中間板１２の直径は、表面板１１の直径と同様である。中間板１２の厚みは、例えば、０．１ｍｍ〜６ｍｍの範囲であり、好ましくは、０．２ｍｍ〜３ｍｍの範囲であり、より好ましくは、０．４ｍｍ〜２ｍｍの範囲である。
【００２２】
図３（Ｂ）に示すように、中間板１２の線状の溝１４は、中間板１２の径方向において、中心から外側に向かうに従い、その幅が広くなっている。これにより、中間板１２の表面全体において、線状の溝１４による空隙率が一定となっている。線状の溝１４の中心側端部の幅は、例えば、０．２ｍｍ〜１０ｍｍの範囲であり、好ましくは、０．３ｍｍ〜５ｍｍの範囲であり、より好ましくは、０．５ｍｍ〜４ｍｍの範囲である。線状の溝１４の外側端部の幅は、例えば、０．２ｍｍ〜２０ｍｍの範囲であり、好ましくは、０．３ｍｍ〜１５ｍｍの範囲であり、より好ましくは、０．５ｍｍ〜１２ｍｍの範囲である。
【００２３】
表面板１１及び中間板１２の製造方法は、特に限定されず、例えば、略円形のＳＵＳ板等の形成材料に、化学エッチング、プレス加工等により、貫通穴１３及び線状の溝１４を形成することで製造できる。表面板１１及び中間板１２に変形が生じにくいため、貫通穴１３及び線状の溝１４は、化学エッチングで形成することが好ましい。前記化学エッチングの条件は、特に限定されず、板厚、作業方法等に応じて適宜設定すれば良いが、一例として次の条件を挙げることができる。
【００２４】
（化学エッチング条件）
エッチング液の種類：塩化第二鉄
時間：３．５時間〜４時間
温度：４０℃〜６０℃
レジストの種類：ドライフィルムレジスト（ＤＦＲ）
現像液の種類：アルカリ系現像液
剥離液の種類：アルカリ系剥離液
【００２５】
前述のようにして製造された中間板１２の線状の溝１４に沿って、前述のようにして製造された２枚の表面板１１の貫通穴１３が位置するように、２枚の表面板１１の間に中間板１２を配置して積層体を製造することで、本実施形態のフィルター用リテーナ１０を得ることができる。２枚の表面板１１及び中間板１２の接触面は、貫通穴１３及び線状の溝１４の形成箇所以外の部分で拡散接合等により接合することが好ましい。
【００２６】
本実施形態のフィルター用リテーナ１０によれば、表面板１１の貫通穴１３から内部に流入した濾過流体が、中間板１２の溝１４により線状に流れるため、圧力損失が低減され、且つ、濾過流体の滞留が抑制される。また、本実施形態のフィルター用リテーナ１０によれば、図４（Ａ）〜（Ｃ）に示すいずれの場合においても、破線の矢印で示すように、濾過流体の流路が確保されており、前述の金網及び多孔体で構成された従来のフィルターエレメントのように貫通穴の真下に金属線が位置することで、濾過流体の流路が閉塞されることはなく、濾過流体の滞留が抑制される。なお、濾過流体が集中する中心側に対し、濾過流体が少なく、流速が遅くなりがちな外周側において、図４（Ｃ）に示すように、貫通穴１３の長い２つの辺の長さを溝１４の幅より一回り長くすることが好ましい。このようにすることで、外周側における濾過流体の流速を速くし、濾過流体の滞留をさらに好適に抑制することが可能となる。さらに、本実施形態のフィルター用リテーナ１０によれば、少なくとも３層の積層構造を有するため、例えば、２枚の表面板１１又は中間板１２を、開口率又は空隙率の異なるものと交換し、２枚の表面板１１及び中間板１２の組み合わせを変更することで、表面板１１の開口率及び中間板１２の空隙率を自由に設計できる。
【００２７】
図１２を参照して、前述の金網から形成されたものとは別の従来のフィルター用リテーナの一例について説明する。図１２（Ａ）は、本例のフィルター用リテーナの構成部材の一例を示す平面図であり、図１２（Ｂ）は、図１２（Ａ）に示す構成部材の裏面図である。図１２（Ａ）及び図１２（Ｂ）に示すように、この構成部材には、複数の貫通穴３３が形成されるとともに、隣接する貫通穴３３をつなぐように、裏面側から前記構成部材の厚みの半分の深さの複数の環状の凹部３４が同心円状に形成されている。そして、この構成部材２枚を、裏面側が接するように積層することで本例のフィルター用リテーナが構成される。このフィルター用リテーナによれば、前述の金網及び多孔体で構成された従来のフィルターエレメントに対し、薄型化、濾過流体の滞留箇所・滞留時間の低減が達成される。
【００２８】
図１２（Ａ）及び図１２（Ｂ）に示す構成部材２枚で構成される従来のフィルター用リテーナでは、環状の凹部３４があるために、平板部分が不連続である。これに対し、本実施形態のフィルター用リテーナ１０は、中間板１２の隣接する線状の溝１４の間に、径方向に連続した平板部分を有する。このため、本実施形態のフィルター用リテーナ１０は、機械強度が高く、濾過流体が通過する際の厚み方向への湾曲が抑制される。ただし、本実施形態のフィルター用リテーナ１０は、所望の機械強度が得られる範囲において、中間板１２に、隣接する線状の溝１４をつなぐ周方向の溝又は凹部を有してもよい。
【００２９】
本実施形態のフィルター用リテーナ１０では、図３（Ｂ）に示すように、中間板１２の線状の溝１４が、直線状であることが好ましい。線状の溝１４が直線状であることで、隣接する直線状の溝１４の間に径方向に連続した平板部分を有することとなり、機械強度が高まり、フィルター用リテーナの厚み方向への湾曲が抑制される。
【００３０】
（実施形態２）
図６は、本実施形態のフィルター用リテーナを示す分解斜視図である。図７は、本実施形態のフィルター用リテーナを示す断面図である。図６及び図７に示すとおり、本実施形態のフィルター用リテーナ１０は、中間板１２を２枚有する点を除き、図１〜５に示す実施形態１のフィルター用リテーナと同様であり、２枚の中間板１２の接触面を、線状の溝１４の形成箇所以外の部分で拡散接合等により接合することを除き、図１〜５に示す実施形態１のフィルター用リテーナと同様にして製造できる。図６及び図７では、中間板１２の枚数を２枚としているが、本実施形態はこれに限定されず、中間板１２の枚数を３枚以上としてもよい。本実施形態のフィルター用リテーナ１０でも、図１〜５に示す実施形態１のフィルター用リテーナと同様の効果を得ることができる。中間板１２を複数枚としてもよいことは、後述の実施形態３以降においても同様である。
【００３１】
（実施形態３）
図８（Ａ）は、本実施形態のフィルター用リテーナにおける表面板を示す平面図である。図８（Ｂ）は、本実施形態のフィルター用リテーナにおける中間板を示す平面図である。図８（Ａ）及び図８（Ｂ）に示すとおり、本実施形態のフィルター用リテーナは、中間板１２の線状の溝１４が、曲線状であり、表面板１１の貫通穴１３がそれに沿って表面板１１の径方向に曲線状に配置され、表面板１１の貫通穴１３の個数及び中間板１２の線状の溝１４の本数が半分である点を除き、図１〜５に示す実施形態１のフィルター用リテーナと同様であり、貫通穴１３の個数、線状の溝１４の本数及びそれらの形成位置を変更することを除き、図１〜５に示す実施形態１のフィルター用リテーナと同様にして製造できる。なお、本実施形態のフィルター用リテーナにおいて、表面板１１の貫通穴１３の個数及び中間板１２の線状の溝１４の本数は、図１〜５に示す実施形態１のフィルター用リテーナの半分に限られず、図１〜５に示す実施形態１のフィルター用リテーナと同数としてもよいし、全く異なる数としてもよい。本実施形態のフィルター用リテーナでも、中間板１２の線状の溝１４が直線状である図１〜５に示す実施形態１のフィルター用リテーナほどは厚み方向の湾曲抑制効果が得られない点を除き、図１〜５に示す実施形態１のフィルター用リテーナと同様の効果を得ることができる。
【００３２】
（実施形態４）
図９（Ａ）は、本実施形態のフィルター用リテーナにおける表面板を示す平面図である。図９（Ｂ）は、本実施形態のフィルター用リテーナにおける中間板を示す平面図である。図９（Ａ）及び図９（Ｂ）に示すとおり、本実施形態のフィルター用リテーナは、表面板１１の貫通穴１３の複数の環状列において、外周側の数列（例えば、１列〜２０列）の貫通穴１３が２つに分割されており、中間板１２の線状の溝１４が、略Ｙ字状とされている点を除き、図１〜５に示す実施形態１のフィルター用リテーナと同様であり、貫通穴１３の個数及び線状の溝１４の形状を変更することを除き、図１〜５に示す実施形態１のフィルター用リテーナと同様にして製造できる。
【００３３】
本実施形態のフィルター用リテーナでは、表面板１１の貫通穴１３の複数の環状列において、外周側の数列の貫通穴１３が２つに分割されていることで、表面板１１の外周側において平板部分が増えている。これにより、濾過流体が表面板１１上に配置された濾材を通過する際に濾材に生じる変形を少なくすることができる。
【００３４】
本発明のフィルター用リテーナは、２枚の図９（Ａ）に示す表面板１１の間に、図３（Ｂ）に示す中間板１２が配置されたものであってもよい。このような構成としても、本実施形態のフィルター用リテーナと同様に、濾過流体が表面板１１上に配置された濾材を通過する際に濾材に生じる変形を少なくすることができる。
【００３５】
（実施形態５）
図１０は、本実施形態のフィルター用リテーナにおける表面板を示す平面図である。本実施形態において、中間板１２としては、図３（Ｂ）に示す実施形態１のフィルター用リテーナと同じものを使用できる。図１０に示すとおり、本実施形態のフィルター用リテーナは、表面板１１の貫通穴１３の平面形状が略四角形であり、前記略四角形の中心側の一辺が、表面板１１の径方向に垂直な方向に対し傾斜している点を除き、図１〜５に示す実施形態１のフィルター用リテーナと同様であり、貫通穴１３の形状を変更することを除き、図１〜５に示す実施形態１のフィルター用リテーナと同様にして製造できる。本実施形態のフィルター用リテーナにおいて、図８（Ａ）及び図８（Ｂ）に示す実施形態３のフィルター用リテーナのように、中間板１２の線状の溝１４を曲線状とし、表面板１１の貫通穴１３をそれに沿って表面板１１の径方向に曲線状に配置し、表面板１１の貫通穴１３の個数及び中間板１２の線状の溝１４の本数を半分にしてもよい。また、本実施形態のフィルター用リテーナにおいて、図９（Ａ）及び図９（Ｂ）に示す実施形態４のフィルター用リテーナのように、表面板１１の貫通穴１３の複数の環状列において、外周側の数列の貫通穴１３を２つに分割し、中間板１２の線状の溝１４を略Ｙ字状としてもよい。
【００３６】
本実施形態のフィルター用リテーナでは、貫通穴１３の平面形状の中心側の一辺が表面板１１の径方向に垂直な方向に対し傾斜していることで、貫通穴１３の中心側端面でも濾過流体の流れが形成され、さらに濾過流体の滞留を抑制することが可能となる。
【００３７】
（実施形態６）
図１１は、本実施形態のフィルターを示す断面図である。図１１に示すとおり、本実施形態のフィルター２０は、図１〜５に示す実施形態１のフィルター用リテーナの両面上に濾材２１を有している。図１１では、図１〜５に示す実施形態１のフィルター用リテーナを用いているが、本実施形態はこれに限定されず、図６〜１０に示す実施形態２〜５のフィルター用リテーナを用いてもよい。
【００３８】
濾材２１は、特に限定されず、従来公知の濾材を使用可能であり、例えば、シート状のＳＵＳ不織布等を使用できる。
【００３９】
本実施形態のフィルター２０の用途は、特に限定されず、例えば、間にスペーサを介在させた状態で複数枚積層し、溶融ポリマー濾過用及び粘性流体濾過用のフィルター等として利用できる。
【産業上の利用可能性】
【００４０】
以上のように、本発明によれば、圧力損失の低減及び濾過流体の滞留の抑制が可能であり、且つ、設計の自由度の高いフィルター用リテーナ及びフィルターを得ることができる。本発明のフィルター用リテーナ及びフィルターの用途は、特に限定されず、例えば、溶融ポリマー濾過用及び粘性流体濾過用のフィルター等に幅広く利用できる。
【符号の説明】
【００４１】
１０  フィルター用リテーナ
１１  表面板
１２  中間板
１３、３３  貫通穴
１４  線状の溝
２０  フィルター
２１  濾材
３４  環状の凹部
【図１】
2014140793.tif 000003
【図２】
2014140793.tif 000004
【図３】
2014140793.tif 000005
【図４】
2014140793.tif 000006
【図５】
2014140793.tif 000007
【図６】
2014140793.tif 000008
【図７】
2014140793.tif 000009
【図８】
2014140793.tif 000010
【図９】
2014140793.tif 000011
【図１０】
2014140793.tif 000012
【図１１】
2014140793.tif 000013
【図１２】
2014140793.tif 000014